(57)【要約】【課題】メダル貸出機からのメダル払い出し時におけるメダル送り装置内部の満杯に起因したメダル詰まりを防止可能なメダル貸出機を提供する。【解決手段】一括投入開口３１と、メダル貯め部４４と、払い出し装置２３から払い出されるメダルを、一括投入開口３１を経ずにメダル貯め部４４に直接誘導する払い出し通路４２と、メダル貯め部４４に、貯留されたメダルが所定の位置まで積み重なったことを検知可能な満杯検知手段２１０を設け、払い出し装置２３がメダルを払い出し中に、前記満杯検知手段２１０がメダル貯め部４４の満杯を検知した場合には、払い出し装置２３の払い出し作動を停止させる。【選択図】図１０
2008012135.tif 000002
【特許請求の範囲】
【請求項１】
遊技メダルを側面側から受け入れ可能な側方移送通路を有するメダル投入口を備えた遊技機に隣接して設置されるメダル貸出機であって、
遊技者に貸し出すメダルを払い出すための払い出し装置と、
一括投入される複数枚の遊技メダルを受け入れ可能な一括投入開口と、
この一括投入開口の下方に設けられ、遊技メダルを貯留可能なメダル貯め部と、
隣接する遊技機の側方移送通路に遊技メダルを転送するための投入導入路と、
前記メダル貯め部に貯留されている遊技メダルを一枚ずつ前記投入導入路に送り出す搬送装置と、
前記払い出し装置から払い出されるメダルを、前記一括投入開口を経ずに前記メダル貯め部に直接誘導する払い出し通路とを少なくとも備えるメダル貸出機において、
前記メダル貯め部に、貯留されたメダルが所定の位置まで積み重なったことを検知可能な満杯検知手段を設け、
前記払い出し装置がメダルを払い出し中に、前記満杯検知手段がメダル貯め部の満杯を検知した場合には、払い出し装置の払い出し作動を停止して、前記払い出し通路からメダル貯め部へのメダル流入を禁止し、前記払い出し装置の払い出し作動停止中に満杯状態の解消が検知された場合には、払い出し装置の払い出し作動を再開するように形成されていることを特徴とするメダル貸出機。
【発明の詳細な説明】
【技術分野】
【０００１】
この発明は、スロットマシンなどのメダル遊技機に隣接して設置されるメダル貸出機に関するものである。
【背景技術】
【０００２】
従来より、スロットマシンなどのメダルを遊技媒体とする遊技機において、効率の良い遊技を行いたいという要請、あるいは、なるべく遊技メダルに手を触れないで遊技を行いたいという要請に基づき、本体の正面に一括投入口とメダル送り装置を備えた一括投入機構を取り付け、遊技メダルを直接遊技機に供給可能にしたメダル貸出機が考案されている（特許文献１参照）。このメダル貸出機は、一括等投入口から投入されたメダル、又はメダル貸出機から払い出されたメダルが貯留されるメダル貯め部を有し、メダル貯め部の下層に貯留されているメダルから徐々に搬送ベルトで移送し、移送されるメダルを分離ローラで一枚づつ分離して、隣接する遊技機（スロットマシン）に送り出すように形成されている。
【特許文献１】特開２００５−３４２４３３号公報（図１）
【発明の開示】
【発明が解決しようとする課題】
【０００３】
しかし、上記したようなメダル送り装置を有するメダル貸出機にあっては、メダル貯め部の中を視認することができないので、内部にメダルが残留しているのを知らずにメダル貸出機からメダルを借りようとして紙幣等を投入すると、払い出されるメダルでメダル貯め部が満杯になってしまうことがある。このため、払い出し装置の払い出し口でメダルが詰まったり、メダル送り装置の作動時にメダル詰まりを起こしやすいという問題点があった。
そこで、本発明は、上記問題点を解決すべくなされたものであり、その目的とするところは、メダル貸出機からのメダル払い出し時におけるメダル送り装置内部の満杯に起因したメダル詰まりを防止可能なメダル貸出機を提供しようとするものである。
【課題を解決するための手段】
【０００４】
本発明の特徴点を図面に示した発明の実施の形態を用いて、以下に説明する。
なお、括弧内の符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、遊技メダルを側面側から受け入れ可能な側方移送通路(12)を有するメダル投入口(10)を備えた遊技機（スロットマシン１）に隣接して設置されるメダル貸出機(2)であって、遊技者に貸し出すメダルを払い出すための払い出し装置(23)と、一括投入される複数枚の遊技メダルを受け入れ可能な一括投入開口(31)と、この一括投入開口(31)の下方に設けられ、遊技メダルを貯留可能なメダル貯め部(44)と、隣接する遊技機(1)の側方移送通路(12)に遊技メダルを転送するための投入導入路（ノズル部60）と、前記メダル貯め部(44)に貯留されている遊技メダルを一枚ずつ前記投入導入路(60)に送り出す搬送装置(50)と、前記払い出し装置(23)から払い出されるメダルを、前記一括投入開口(31)を経ずに前記メダル貯め部(44)に直接誘導する払い出し通路(42)とを少なくとも備えるメダル貸出機に係る。
【０００５】
ここで、前記「遊技機」は、遊技メダルを遊技媒体として投入する遊技機であって、メダル貸出機(2)を挟んで遊技場に並列設置されるものである。前記メダル投入口(10)は、遊技機に遊技メダルを投入する部分であって、遊技メダルを落とし込む孔などの開口部の他、遊技メダルを開口部に誘導するための通路や凹部も含む。例えば側方移送路(12)は、遊技メダルを上方から投入可能なスリットである上部投入開口(11)と連通していてもよい。
またここで、前記払い出し装置(23)は、メダルを貯留可能であるとともに貯留されているメダルを排出可能なホッパー装置とすることができる。なお前記メダル貸出機(2)は、上記構成の他にも、紙幣投入口(21)や紙幣カウンター(22)を備えていてもよく、前記払い出し装置(22)のメダル貯留部とは別にメダルを貯留可能な空間を有していてもよい。
【０００６】
また、遊技メダルの「一括投入」とは、メダルの向きを揃えて投入したり一枚ずつ投入するのではなくて、適宜手に掴んだ遊技メダルをランダムに投入開口に投げ入れるような場合のことを言うものである。
前記メダル貯め部(44)は、一括投入開口(31)から投入された遊技メダルを一時的に貯留可能な空間である。また本発明においては、払い出し通路(42)を介して、前記払い出し装置(23)から、直接メダル貯め部(44)にメダルが払い出されるようになっている。
前記投入導入路(60)は、メダル受け口(67)とメダル排出口(66)との間に遊技メダルが通過可能なメダル移送路(65)を形成したブロック部材とすることができる。そして、搬送装置(50)により送り出された遊技メダルを、メダル受け口(67)が受け入れるように形成されている。また、メダル排出口(66)は、隣接する遊技機(1)のメダル投入口(10)の側方に位置するように配置される。
【０００７】
前記搬送装置(50)は、搬送ベルト(53)を用いたベルト式メダル送り装置や、送り出し円板を用いたディスク式メダル送り装置などとすることができ、一括投入されメダル貯め部(44)に貯留された遊技メダルを一枚ずつ、投入導入路(60)に送り出すことができる装置であれば、どのような構成を有していても構わない。
そして、本発明においては、前記メダル貯め部(44)に、貯留されたメダルが所定の位置まで積み重なったことを検知可能な満杯検知手段（貯め部センサ210）を設け、前記払い出し装置(23)がメダルを払い出し中に、前記満杯検知手段(210)がメダル貯め部の満杯を検知した場合には、払い出し装置(23)の払い出し作動を停止して、前記払い出し通路(42)からメダル貯め部(44)へのメダル流入を禁止し、前記払い出し装置(23)の払い出し作動停止中に満杯状態の解消が検知された場合には、払い出し装置(23)の払い出し作動を再開するように形成されていることを特徴とする。
【０００８】
前記満杯検知手段(210)は、メダル貯め部(44)に設けられた遮光センサ、接触センサ、近接センサなどの検知装置とすることができ、メダル貯め部(44)内のメダルが一定の高さ位置まで貯まったことを認識可能であればどのような構成であっても構わない。
なお、満杯状態の解消の検知は、例えば満杯検知手段(210)としての検知センサがＯＮからＯＦＦになることや、満杯検知手段(210)とは別に設けられた満杯解消検知手段により検知することができる。
（作用）
本発明に係る遊技機用台間機(2)を一の遊技機(1)の隣に設置すれば、一括投入開開口(31)から一括投入した遊技メダルを一枚ずつメダル投入口(10)に投入させることができ、遊技中における遊技機への遊技メダルの投入を効率的に行うことができる。また、貸し出しメダルが直接メダル貯め部(44)に払い出されるように形成してあるので、貸し出しメダルを手で取り上げて一括投入開口(31)に投入する手間が省けるものである。
【０００９】
そして、払い出し装置(23)がメダルを払い出し中に、満杯検知手段(210)によりメダル貯め部(44)の満杯状態が検知された場合には、払い出し装置(23)が作動停止して、メダルの払い出しが中断される。このとき、搬送装置(50)を作動させてメダル貯め部(44)内のメダルを遊技機(1)に移送するよう促す報知を行うと好適である。
搬送装置(50)が作動して、メダル貯め部(44)内のメダルが移送されると、満杯状態が解消され、作動停止していた払い出し装置(23)が作動を再開し、引き続きメダルの払い出しが行われる。
本発明によれば、メダル貯め部(44)にメダルが残留しているにもかかわらず払い出し装置(23)からメダルを払い出させてしまった場合や、払い出し装置(23)がメダル払い出し中に一括投入開口(31)からメダルを投入したような場合であっても、メダル貯め部(44)に許容量以上のメダルが投入されることがないので、満杯状態による搬送装置(50)の作動不良を引き起こすことが無く、結果として、搬送装置(50)や払い出し装置(23)のメダル排出部(230)でのメダル詰まりを未然に防ぐことができる。
【発明の効果】
【００１０】
本発明は、以上のように構成されているので、メダル貸出機からのメダル払い出し時におけるメダル送り装置内部の満杯に起因したメダル詰まりを防止可能なメダル貸出機を提供することができる。
【発明を実施するための最良の形態】
【００１１】
本発明の最良の実施形態を、遊技機としてスロットマシンを例に、図面に基づき説明する。
（図面の説明）
図１乃至図１１は、本発明の実施の形態を示すものである。
図１はスロットマシン１及びメダル貸出機２の外観斜視図、図２及び図３はメダル貸出機２を示す図、図４は一括投入機構３の縦断面図、図５は一括投入機構３及びメダル投入口10の拡大斜視図、図６及び図７はメダル送り装置40を示す斜視図、図８及び図９はメダル送り装置40の部分断面図、図１０及び図１１はメダル貸出機２の作動の概略を示す流れ図である。
【００１２】
本実施の形態におけるメダル貸出機２は、スロットマシン１に隣接して設置され、一台のスロットマシンに一機ずつ対応するように設けられている。
（スロットマシン１）
スロットマシン１は、図１に示すように、筐体の正面側に取り付けられた前扉13を有し、正面側には回転リール（図示せず）の図柄を視認可能な図柄表示窓14が形成されている。また、この図柄表示窓14の下方でありスロットマシン１の略中央部は、スタートスイッチやストップスイッチなどの操作手段が設けられる操作部16となっている。そしてこの操作部16の正面右端部には、遊技メダルを投入するためのメダル投入口10が設けられている。なお、特に図示しないが、メダル投入口10の下方には、遊技メダルの真贋を判断すると共に投入メダルをカウントするためのメダルセレクターが設けられている。また、スロットマシン１の下部には、払い出しメダルを貯留可能な下皿15が設けられている。
【００１３】
ここで、メダル投入口10は、図５に示すように、上方から遊技メダルを一枚ずつ投入可能な上方投入開口11と、上方投入開口11の側方に連通する側方移送通路12とを有している。この側方移送通路12は、上方投入開口11から正面右側（メダル貸出機２側）に延設された樋状の通路であって、後述するノズル部60から送られてくる遊技メダルを受け入れ上方投入開口11に移送するためのものである。
そして、メダル投入口10から遊技メダルを投入し、スタートスイッチの操作により回転リールを回転させ、ストップスイッチの操作により回転リールを停止させ、このとき、複数の回転リールに表示された図柄が所定の位置態様に停止すると入賞となり、所定枚数のメダルが払い出されるように形成されているものである。
【００１４】
（メダル貸出機２）
メダル貸出機２は、スロットマシン１の側面側に隣接して設置される箱型の装置であって、金銭と引き替えに遊技メダルを貸し出すと共に、貸し出しメダル及び遊技者が投入するメダルをスロットマシン１のメダル投入口10に投入するためのものである。すなわち、メダル貸出機２は、図１及び図２に示すように、外箱20に、紙幣カウンター22及び払い出し装置23が内蔵されているとともに、正面側には一括投入機構３が取り付けられているものである。
（紙幣カウンター22）
紙幣カウンター22は、外箱20の正面下方に設けられた紙幣投入口21から投入された紙幣を読み取って、払い出し装置23に所定枚数の遊技メダルを払い出させるためのものである。なお、メダル貸出機としては、紙幣投入口21及び紙幣カウンター22の他に、硬貨投入口や硬貨カウンター、釣り銭払い出し口などを有していてもよい。また、プリペイドカード投入口とカードリーダーを有していてもよい。
【００１５】
（払い出し装置23）
払い出し装置23は、遊技メダルを払い出すためのいわゆるホッパー装置であり、図２及び図３に示すように、遊技メダルを貯留しておくためのタンク23Aと、タンク23Aに貯留されている遊技メダルを一枚ずつ排出可能な送り出し円板23Bと、送り出し円板23Bを回転させるためのホッパーモータ23Cを有している。送り出し円板23Bは、ホッパーモータ23Cに回転可能に軸止されており遊技メダルが嵌入可能な孔が形成されている。そして、この孔に入った遊技メダルを、回転に伴い一枚ずつ、メダル排出部230から正面側（一括投入機構３側）に排出するようになっている。また、特に図示しないが、払い出し装置23には、メダル排出部230から排出されるメダルをカウントするための払い出しセンサが設けられていて、所定枚数の遊技メダルを払い出したら駆動モータが停止するように形成されている。
【００１６】
ここで、外箱20における前記タンク23Aの上方には、遊技メダルを貯留可能な上部空間25が形成されており、外箱20の正面上部には、この上部空間25を閉塞する開閉蓋24が前後方向に回動自在に取り付けられている。そして、図３に示すように開閉蓋24を開けて、上部空間25及びその下に位置するタンク23Aにメダルを補給することができるようになっている。
（メダル量検知部26）
さらに、タンク23A及び上部空間25には、貯留されているメダルの量を検知するためのメダル量検知部26が設けられている。メダル量検知部26は、メダルと接触することにより通電する接触センサであって、図３に示すように、上部検知部261と、下部検知部262と、263を備えている。
【００１７】
上部検知部261は、外箱20の上板裏側から下方に垂下する金属棒であって、図示しないハーネスにより下部検知部262と接続されている。下部検知部262は、送り出し円板23Bが取り付けられる板面に固定された接点であって、上部検知部261及び中間検知部263と接続されている。中間検知部263は、タンク23Aの後方上縁部に取り付けられた薄型金属板であって、下部検知部262と接続されている。
そして、メダルが上部空間25の中程よりも上側にまで貯まっている場合には、下部検知部262と上部検知部261とがメダルを介して通電し、上部検知部261がＯＮとなることにより満杯状態が検知される。また、メダルが上部検知部261の下端部よりも下側まで減った場合には、下部検知部262と上部検知部261との間の通電が絶たれ、上部検知部261はＯＦＦとなる。この場合において、メダルが中間検知部263よりも上側まで貯留されている場合には、下部検知部262と中間検知部263とが通電し、中間検知部263がＯＮとなることによりメダルの中間貯留状態が検知される。さらに、メダルが中間検知部263よりも下側まで減った場合には、下部検知部262と中間検知部263との間の通電が絶たれ、中間検知部261はＯＦＦとなる。これにより、タンク23A内のメダル量が残り少ない空状態が検知される。
【００１８】
なお、メダル量検知部26による検知状況は、後述する一括投入機構３に設けられた示部300に表示される。また、メダル量検知部26としては、上記した接触センサに限られず、遮光センサや磁気センサであってもよい。さらに、メダル量をより細かく段階的に把握したい場合には、検知部の数を増やせばよい。
（一括投入機構３）
一括投入機構３は、前記払い出し装置23から払い出される遊技メダル、及び遊技者が投入する遊技メダルを、スロットマシン１のメダル投入口10に一括投入するための機構である。
【００１９】
具体的には、一括投入機構３は、図３及び図４に示すように、大きく分けて、メダル貸出機２の外箱20の正面に着脱自在に取り付けられる本体カバー30と、本体カバー30の内部に設けられたメダル送り装置40と、本体カバー30の正面側に取り付けられたノズル部60とから構成されている。
（本体カバー30）
本体カバー30は、図１乃至図５に示すように、メダル貸出機２の外箱20の正面略中央部から手前側（スロットマシン１を正面から見た場合の手前側。以下同じ）に突設された、上面板32、底板33、前面板34、背面板35及び左右二つの側面板36を有する箱形の部材である。そしてこの本体カバー30の内部には、搬送装置50を備えたメダル送り装置40が収納されている。
【００２０】
前記上面板32には、上方に開口する一括投入開口31が形成され、一括投入開口31の手前側には、カウンター状の張り出し部が形成されている。また、前面板34には、搬送装置50を作動及び作動停止させるための駆動スイッチ200が設けられている。そして、この駆動スイッチ200に手を触れることにより、搬送装置50の搬送モータ55が駆動し、駆動スイッチ200に触れている手を離すことにより、搬送装置50の搬送モータ55が駆動を停止するようになっている。なお、搬送装置50を作動及び作動停止させる手段としては、搬送モータ55の駆動を開始させるためのスイッチと、駆動を停止させるためのスイッチを別々に設けてもよいものである。
【００２１】
また、前記一括投入開口31の両側には、上面板32から上方に隆起する立設壁37が形成されている。これは、一括投入口31に遊技メダルを投入する際、メダルがこぼれ落ちないようにするためのものである。
さらに、前記一括投入開口31の奥側の壁には、図５に示すように、種々の表示を行うための表示部300として、７セグメント表示部310と、複数のランプ320が設けられている。なお、図示した例では３個のランプ320が設けられているが、ランプ320の数は３個には限られない。７セグメント表示部310は、払い出し枚数を表示したり、メダル詰まりなどエラーが発生した場合に所定の記号を表示したりするためのものである。ランプ320は、メダル送り装置40の作動状態（搬送ベルト53の正転、逆転）や一括投入口31へのメダル投入の可否を知らせたり、メダル貸出機２に設けられたメダル量検知部26の検知信号に基づき、貯留メダル量に関する報知を行ったりするものである。
【００２２】
ここで、貯留メダル量に関する報知の具体例としては、メダル量検知専用のランプ320を設けて、上部検知部261がＯＮのときには青色の発光体（例えばＬＥＤ）を点灯させ、上部検知部261がＯＦＦで中間検知部263がＯＮのときには黄色の発光体を点灯させ、上部検知部261及び中間検知部263がＯＦＦのときには赤色の発光体を点灯させる。このように、三段階に分けて貯留メダル量の報知を行うようにしてあるので、開閉蓋24を開いてメダル量を点検することなく、遊技場の営業状況に応じて適当な時期にメダル補給を行うことができる。例えば、客数が多く見込まれる場合には、黄色ランプのときでも予めメダルを補給しておくことにより、メダル切れを予防することができる。
【００２３】
前記底板33の奥側には、メダル送り装置40から排出される異物やキャンセルメダルを落下させるための底部開口38が形成されており、底部開口38の下方には、落下物を受け止める受け皿90が形成されている。
前記前面板34の下方には、ノズル部60のカバー部材61が設けられているとともに、背面板35には、背面開口39が形成されている。なお、この背面開口39からはメダル送り装置40の後方部が突出しており、メダル送り装置40が前後方向に摺動することができるようになっている。また、背面開口39の上方には、払い出し装置23のメダル排出口230から排出されるメダルを受け入れ可能な背面受け口35Aが形成されている。
【００２４】
（メダル送り装置40）
メダル送り装置40は、メダルを送り出すための装置であり、図４に示すように、前記本体カバー30の内部に収納される箱状の本体ベース41の内側に搬送装置50を設け、搬送装置50の奥側下方に排出装置80を設けた構成となっている。
本体ベース41は、図６及び図７に示すように、長さ方向略中央部に、上方に開口する受入開口48を有し、受入開口48の奥側には、上方に開口し内部において前記受入開口48と連通する払い出し通路42が設けられている。また、受入開口48の手前側には平坦部46が形成されており、これにより後述するメダル貯め部45の容積が確保される。本体ブロック41の前方下部には、搬送装置50が内蔵されており、本体ブロック41の正面側は、搬送装置50により送り出されたメダルをノズル部60に一枚ずつ排出するためのメダル排出部47となっている。そして、図４及び図７に示すように、前記払い出し通路42を形成する内壁の底部には、排出装置80が設けられている。
【００２５】
前記受入開口48は、図４及び図６に示すように、一括投入開口31から投入される遊技メダルを受け入れるための開口であり、開口幅の中央よりもやや後方側に、横方向に亘って設けられた仕切棒100を有している。これは、投入される遊技メダルを、極力同一方向に揃えるためである。すなわち、この仕切棒100があることにより、受入開口48に遊技メダルが縦向き（メダルの表裏面が左右方向となる向き）で投入されることがないので、ランダムに投入される遊技メダルの向きを、横向き（メダルの表裏面が前後方向となる向き）にして落下させるようになるものである。このように落下した場合には、メダルの向きが揃っているので、受入開口48の下方に位置する空間であるメダル貯め部44に、遊技メダルが平積みとなるよう貯留させることができ、搬送装置50により搬送しやすくなる。
【００２６】
また、図４に示すように、受入開口48の手前側端部には、搬送装置50の上方空間を、受入開口48の下方に位置するメダル貯め部44と、メダル貯め部44よりも手前側に位置するメダル戻り部45とに分ける移動調整弁43が取り付けられている。移動調整弁43は、メダル貯め部44からメダル戻り部45へのメダル移動を阻止し、メダル戻り部45からメダル貯め部44へのメダル移動は適宜許容することにより、搬送装置50によるメダル移送をスムーズに行わせるためのものである。
前記払い出し通路42は、払い出し装置23から貸し出される遊技メダルを受け入れて、前記メダル貯め部44に誘導するためのものである。すなわち、払い出し通路42は、図４に示すように、本体ベース40を本体カバー30に内蔵したときに、背面受け口35Aの下側に位置するようになっている。また、払い出し通路42の底面は、奥側から手前側に向かって下り傾斜となっており、傾斜の前端部が、後述する排出装置80の開閉板82によって開閉可能に形成されている。そして、開閉板82が閉じているときには、メダル貯め部44に遊技メダルが貯留され、開閉板82が開いた場合には、メダル貯め部44又は搬送装置50の搬送ベルト53上にあるゴミなどの異物や遊技メダルは、キャンセル開口49から落下する。なお、キャンセル開口49から落下した異物や遊技メダルは、本体カバー30の底部開口38を通って受け皿90に貯留される。
【００２７】
ここで、受け皿90は、図４、図８に示すように、本体カバー30の背面板35にヒンジ92を介して前後に回動自在に取り付けられた、椀型の凹部91を有する受け部材である。また受け皿90は、常態においては、図４に実線で示すように、皿の凹部91が底部開口38を覆う位置になるよう、ヒンジ92に設けられたバネ（図示せず）により保持されており、底部開口38から排出されるメダル等が落下の勢いで皿から飛び出してしまわないようになっている。そして、図８に実線で示すように手前側に回動させることにより、凹部91に貯まったメダル等を取り出すことができるようになっている。
さらに、本体ベース41の内部には、メダル貯め部44のメダルが満杯になったことを検知するための貯め部センサ210が設けられているが（図７〜図９参照）、この詳細は後述する。
【００２８】
（搬送装置50）
搬送装置50は、本体ブロック41の前方下部に内蔵されており、メダル貯め部44に投入又は払い出された遊技メダルを、水平状態（遊技メダルの表裏面が上下となる状態）で一枚ずつ、ノズル部60へと送り出すためのものである。具体的には、搬送装置50は、図４に示すように、一対のローラ51（51A,51B）と、ローラ51A,51Bに掛け渡された搬送ベルト53と、搬送ベルト53の手前側上方に送出間隙54をあけて設置された逆転ローラ52と、ローラ51,52を回転させるための搬送モータ55と、搬送モータ55のモータ軸の回転をローラ51,52に伝達するための伝達手段（図示せず）を有している。
【００２９】
前記ローラ51は、正面側から見て前後に並列して設けられている。また、前記搬送ベルト53は、二つのローラ51A,51Bに掛け渡された平ベルトであり、表面にはゴム等を被覆して、遊技メダルとの摩擦抵抗を大きくするよう形成してある。そして、図４に示すように、手前側のローラ51Aの方が、奥側のローラ51Bよりも若干高い位置に取り付けられているので、搬送ベルト53の上面は手前側に向かってやや上り傾斜となっており、ローラ51を図４に示す黒矢印の方向に回転させることにより、搬送ベルト53の上面が手前側に移動するようになっている。
前記ローラ51と逆転ローラ52は、伝達手段により同時に回転するようになっている。伝達手段は、搬送モータ55の駆動軸、ローラ51A、逆転ローラ52にそれぞれ設けられたギヤと、これらの各ギヤを連結するベルトであって、逆転ローラ52はローラ41と同方向に回転するので、搬送ベルト53の上面の進行方向と、逆転ローラ52の下側面の移動方向とが逆になる。また、ローラ51と逆転ローラ52の直径の違いにより、逆転ローラ52の線速（ローラ表面の移動速度）の方が、ローラ51の線速よりも早くなるように形成されている。
【００３０】
また、前記ローラ51Aには、ローラ51Aの回転の有無、すなわち搬送ベルト53の移動状況を検知するための回転検知センサ（図示せず）が設けられている。これは、後述する詰まり検知を行うためのものである。回転検知センサとしては、例えばローラ51の回転軸と同軸に回転しフランジ部に複数のスリットを形成した円板を設け、この円板のスリットを挟んで配置されたフォトセンサによって回転軸の回転を検知するものとすることができる。この場合、搬送ベルト53の内周面と、少なくとも駆動側のローラ51Aの外周面に、互いに噛み合う凹凸をそれぞれ設け、ローラ51Aの回転により搬送ベルト53が確実に回転するように形成すると好適である。
【００３１】
そして、図４に示すように、逆転ローラ52の下端と搬送ベルト53の上面との間には、遊技メダル一枚の厚みよりも大きく、遊技メダル二枚分の厚みよりは小さい送出間隙54が形成されている。これにより、搬送ベルト53の上面に乗っている遊技メダルを、一枚ずつ手前側に送り出すとともに、搬送ベルト53の上方であって逆転ローラ52の後方にある遊技メダルをメダル戻り部45に蹴り出すようになっている。
前記逆転ローラ52には、図７に示すように、断面略台形の撹拌溝が軸方向に沿って形成されている。撹拌溝は、溝の端部で遊技メダルを引っ掛けるようにして、搬送ベルト53の上方に積み重なった遊技メダルを効果的に後方に蹴り上げる役割を果たすものである。
【００３２】
搬送ベルト53の前方側は、後述するノズル部60のメダル受け口67と近接しており、ベルト上面に乗っている遊技メダルは、前記送出間隙54を潜ってメダル排出部47からノズル部60のメダル受け口67へと運ばれる。
（ノズル部60）
ノズル部60は、前記搬送装置50から送り出された遊技メダルをスロットマシン１のメダル投入口10に移送するためのものである。そして、ノズル部60は、図４に示すように、本体カバー30の正面下部に取り付けられるベース部材62と、本体カバー30の正面側に本体カバー30の底板33に設けられたヒンジ63を介して前後方向に回動自在に取り付けられるカバー部材61とから成り、カバー部材61がベース部材62を正面側から覆った状態、すなわちカバー部材61が閉じた状態で、本体カバー30の前面板34の下方に形成された開口部を塞ぐようになっている。
【００３３】
前記ベース部材62は、図４に示すように、上端部に下方から上方に向かって奥方向に湾曲する湾曲部62Aが形成された基体と、基体の正面側に位置し、図示しない軸支部を中心に前後方向に回動可能に取り付けられた回動板71を有している。そして、前記湾曲部62Aと回動板71の間には、メダル送り装置40のメダル排出部47と連通するメダル受け口67が形成される。なお、回動板71は、透明部材で形成されているとともに、後述する詰まり解除機構70を構成するものでもある。
また、ベース部材62の基体と回動板71の間には、遊技メダル一枚分の厚さよりやや大きい厚みを有し、遊技メダルの直径よりもやや大きい幅を有するメダル移送路65が形成されるようになっている。メダル移送路65は、正面視すると略Ｌ字型に形成されており、メダル受け部67からノズル部60のスロットマシン１側に屈曲して、その端部がメダル排出口66となっている（図５参照）。そして、ベース部62は、メダル排出部47から排出された遊技メダルをメダル受け口67から受け入れ、メダル移送路65を通してメダル排出口66から一枚ずつ排出するようになっている。なお、回動板71は透明部材で形成されているので、回動板71を透過してメダル移送路65を通過するメダルを正面側から視認することができる。
【００３４】
また、ベース部材62には、メダル移送路65を通過する遊技メダルを検知するためのメダル検知センサ64が設けられている。メダル検知センサ64は、基体に設けられた近接センサであり、磁界の変化を検出して遊技メダルの通過を検知するものである。そして、メダル送り装置40が遊技メダルを送り出している間は、このメダル検知センサ64が遊技メダルを検出している。なお、メダル検知センサ64は近接センサに限られず、フォトセンサであってもよい。
前記カバー部材61は、メダル詰まりやメンテナンス時等に開くものであって、背面側及び左側（スロットマシン側）が開口し前記ベース部材62を被覆可能なケース状の蓋である。そして、図５に示すように、正面には、閉じた状態で正面側から前記メダル移送路65を通過する遊技メダルを視認可能な透視窓61Bが形成されており、正面上部には、詰まり解除機構70としてのプッシュボタン72と、カバー部材61を開くときに所定の鍵などを差し込むためのキー孔61Aが設けられている。
【００３５】
また、カバー部材61の上部には、先端に鈎部を有する係合片68が背面側に向かって突設されている。この係合片68は、カバー部材61を閉じたときに、先端の鈎部が本体カバー30の前面板34の裏面側に設けられた係止爪34Aと係合するものである。
さらに、カバー部材61の底部であって、ベース部材62のメダル受け口67の下方に位置する部分には、後述する詰まり解除機構70の作動によりキャンセルされるメダルを落下させるためのメダル落下口69が形成されている。
カバー部材61は、閉じた状態においては、図４に示すように、係合片68の鈎部が係止爪34Aと係合しており、本体カバー30にロックされている。カバー部材61を開く場合には、キー孔61Aにキーやドライバの先端などを差し込んで、係合片68を弾性変形させることにより、鈎部と係止爪34Aとの係合が外れ、カバー部材61を手前側に引けば、カバー部材61はヒンジ63を中心に前方に回動する。開いているカバー部材61を閉じる場合には、カバー部材61を押し上げて後方に回動させれば、係合片68の鈎部が係止爪34Aに係合してロックされる。
【００３６】
前記詰まり解除機構70は、前記カバー部材61を開くことなく、メダル移送路65の途中で詰まったメダルを装置外に排出させるための機構であり、カバー部材61に設けられたプッシュボタン72と、ベース部材62に設けられた回動板71とから構成されている。
回動板71は、正面視略Ｌ字型の板部材であり、垂直部分の両側端部から横方向に張り出したピン（図示せず）を、ベース部材62に設けられた軸支部（図示せず）に係止させることにより、ベース部材62の正面側に前後方向に回動可能に支持されている。また、回動板71は、軸支部73の下側に設けられたバネ（図示せず）により、基体62A側に付勢されている。すなわち、通常時において回動板71は、バネ74により基体62Aの方向に引っ張られており、メダル移送路65を転送されるメダルが基体62Aと回動板71に挟まれて、落下することなく通過できるようになっている。
【００３７】
一方プッシュボタン72は、カバー部材61の正面から背面に向かって貫通し、前後方向に摺動自在に取り付けられているとともに、特に図示しないバネにより、カバー部材61の表面から露出している頭部が、正面側に突出する方向に付勢されている。また、プッシュボタン72は、後方に移動したときに先端部が回動板71の上端部と当接可能な位置に設けられている。
そして、メダル移送路65にメダルが詰まった場合には、プッシュボタン72の頭部を押圧すると、先端に押圧された回動板71が、軸支部73を中心に、軸支部73より上側は後方に、軸支部73より下側は前方に回動し、回動板71の下側は基体62Aから離れる方向に移動する。このため、メダル移送路65の内部にあるメダルは回動板71の支えを失って、回動板71の下側と基体62Aの間にできた隙間から下方に落下するものである。落下するメダルはメダル落下口69から装置外に排出されるので、手のひらなどで受け止めればよい。
【００３８】
（排出装置80）
排出装置80は、図７及び図８に示すように、上方に突設された略円筒形の可動軸83を所定の作動指令信号（開放作動信号、閉塞作動信号）に応じて上下動させるソレノイド81と、一方の端部が前記可動軸83に軸支され、本体ブロック41に固定された固定軸84を支点として上下方向に揺動可能に形成された開閉板82を有している。そして、可動軸83が下方に位置しているときには開閉板82が閉じた状態（図４参照）となり、可動軸83が上方に位置しているときには開閉板82が開いた状態（図８参照）となるよう形成されているものである。そして、ソレノイド81の作動で開閉板82を開くことにより、メダル送り装置40内部にあるメダルや異物などを、本体ブロック41の底面に形成されたキャンセル開口49から排出させることができるようになっている。
【００３９】
（貯め部センサ210）
貯め部センサ210は、メダル送り装置40のメダル貯め部44内部のメダルが満杯になったことを検知するためのものであり、図９に示すように、メダル貯め部44の上方に位置する上ピン211と、メダル貯め部44の下方に位置する下ピン212とから成る。上ピン211及び下ピン212は、図示しないハーネスによって連結された金属製の棒材であって、双方にメダルが接触することにより通電して、信号を出力するように形成されている。
上ピン211は、払い出し通路42と受入開口48の仕切410よりもやや下側かつ払い出し通路42の下方やや仕切寄りに位置しており、下ピン212は、搬送ベルト53のやや上側かつ受入開口48のほぼ真下に位置している。上ピン211の位置を仕切410よりもやや下側にしたのは、受入開口48から受け入れたメダルが仕切410よりも上側に貯まることがないからであり、払い出し通路42の下方やや仕切寄りにしたのは、受入開口48又は払い出し通路42から落下してくるメダルとの衝突を避けるためである。また、上ピン211及び下ピン212は、本体ケース41の内部空間の幅よりも短く形成されており、メダル貯め部44内部でのメダルの移動を妨げないようになっている。
【００４０】
そして、図９に示すように、メダル貯め部44にメダルが積み重なり、払い出し通路42から落下してくる払い出しメダルや、一括投入開口31から投入されるメダルが、上ピン211の高さまで滞留した場合には通電してＯＮとなるようになっている。
なお、貯め部センサ210としては、上記した接触センサに限られず、遮光センサや磁気センサであってもよい。
（遊技メダルの移送）
次に、上記構成を有する一括投入機構３における遊技メダルの移送過程を、図４及び図８に基づき説明する。
【００４１】
まず、一括投入開口31から遊技メダルを投入すると、遊技メダルは搬送ベルト53の後方部上面と開閉板82の上面に積み重なるように落下し、メダル貯め部44に貯留される。また、メダル貸出機２に紙幣を投入した場合には、払い出し装置23から遊技メダルが払い出され、背面受け口35A及び払い出し通路42を通ってメダル貯め部44に貯留される。次に、駆動スイッチ200に手を触れると、搬送装置50が作動を開始する。すなわち、搬送モータ55が駆動して、ローラ51が回転し、搬送ベルト53が前方に移動開始する。
搬送ベルト53が移動開始すると、搬送ベルト53の後方部上面に乗っている遊技メダルが前方に移動し、その上方に貯まっているメダルも引きずられて、移動調整弁43の下方を潜ってメダル戻り部45に移動する。ここで、移動調整弁43は、前方（メダル戻り部側）には回動しないので、メダル貯め部44の上部に貯留されているメダルが、一気にメダル戻り部45に雪崩れ込むのを防ぐことができる。
【００４２】
搬送ベルト53により前方に移送された遊技メダルのうち、搬送ベルト53の上面に乗っている遊技メダルは、搬送ベルト53と逆転ローラ52の下面との間の送出間隙54をすり抜けて、一枚ずつ、メダル排出部47へと移送される。一方、搬送ベルト53の上方に重なっている遊技メダルは、逆転ローラ52と接触することにより、逆転ローラ52に設けられた撹拌溝に引っかかり、上方後部のメダル戻り部45に蹴り戻される。逆転ローラ52は、ローラ51よりも高速回転しているので、効率よくメダルを蹴り出すことができる。
ここで、メダル戻り部45に滞留するメダルの量が多いと、逆転ローラ52によって後方に蹴り出すのに支障をきたし、送出間隙54でメダル詰まりが発生するおそれがある。しかし、移動調整弁43は、後方（メダル貯め部側）に回動可能に取り付けられているので、メダル戻り部45内に滞留したメダルはメダル貯め部44に逆流し、メダル戻り部45の上方に空間が形成される。これにより、逆転ローラ52によるメダルの蹴り出しがスムーズに行われるものである。
【００４３】
搬送装置50から送り出された遊技メダルは、メダル排出部47から排出され、ノズル部60の湾曲部62Aに誘導されつつメダル受け口67に入り、メダル移送路65を通ってメダル排出口66から排出される。メダル排出口66はスロットマシン１のメダル投入口10の側方移送通路12と位置あわせされているので、遊技メダルは側方移送通路12を通って、上部投入開口11に投入される。
（メダル貸出機２の作動制御）
続いて、上記構成を有するメダル貸出機２の作動制御について、図１０及び図１１のフローに基づき説明する。
【００４４】
ここで、メダル貸出機２の作動制御は、特に図示しないメダル貸出機２の制御部により行われる。前記制御部は、メダル貸出機２の内部に設けられた制御基板であって、紙幣投入口21及び払い出し装置23の払い出しセンサ、一括投入機構３の駆動スイッチ200、メダルセンサ64、貯め部センサ210及び搬送装置50の回転検知センサからの信号を受信して、払い出し装置23のホッパーモータ23C、搬送装置50の搬送モータ55及び排出装置80のソレノイド81を作動可能に形成されているものである。
なお、初期状態において、駆動スイッチ200はＯＦＦ状態であり、搬送モータ55を駆動させるためのモータ駆動指令信号は出力されていない。排出装置80のソレノイド81は非作動状態であり、開閉板82はキャンセル開口49を閉じた状態となっている。そして、貯め部センサ210、メダルセンサ64はＯＦＦ状態である。
【００４５】
また、図中、「ｎ」は払い出し装置23が払い出したメダル数を表し、初期値は「０」である。「Ｎ」は紙幣投入により払い出し装置23が払い出すメダル数を表し、例えば「５０」である。
図１０は、払い出し装置23のメダル払い出し制御を示すフローである。
まず、図１０におけるステップ１００において、紙幣投入口21に紙幣（例えば千円札）が投入されたかどうかを判断する。紙幣投入の有無は、紙幣投入口21に設けられた紙幣検知センサ（図示せず）の検知信号に基づき判断する。紙幣が投入されていない場合にはステップ１００に戻る。一方、紙幣が投入されたと判断した場合には、次のステップ１０１に進む。
【００４６】
ステップ１０１において、ホッパーモータ23Cを駆動させる。そして、次のステップ１０２に進む。
ステップ１０２において、払い出しセンサ（図示せず）がメダルを検知したかどうかを判断する。ここで、一定時間メダルが検知されない場合には、タンク23Aにメダルが無いか、送り出し円板23Bやメダル排出部230にメダルが詰まっている場合が想定されるので、所定のホッパーエラー処理が行われる。一方、メダルが検知された場合には、次のステップ１０３に進む。
ステップ１０３において、ｎ＝ｎ＋１とする。そして次のステップ１０３に進む。
【００４７】
ステップ１０４において、ｎ＝Ｎかどうかを判断する。すなわち、払い出し装置23から投入紙幣に応じた所定枚数のメダルの払い出しが完了したかどうかを判断する。ｎ＝Ｎでない場合、すなわちまだ所定枚数のメダルを払い出していない場合には、次のステップ１０５に進む。
ステップ１０５において、貯め部センサ210がＯＮになっているかどうかを判断する。すなわち、メダル貯め部44が満杯かどうかを判断する。貯め部センサ210がＯＮでない場合には、ステップ１０１に戻る。一方、貯め部センサ210がＯＮの場合には、次のステップ１０６に進む。
【００４８】
ステップ１０６において、ホッパーモータ23Cの駆動を停止する。このとき、駆動スイッチ200の操作を促す報知を行ってもよい。そして、次のステップ１０７に進む。
ステップ１０７において、貯め部センサ210がＯＦＦになったかどうかを判断する。貯め部センサ210がＯＦＦにならない場合には、ステップ１０６に戻る。すなわち、メダル貯め部44が満杯の場合には、駆動スイッチ200を操作して搬送ベルト53を作動させ内部のメダルをスロットマシン１に送り出さないと、メダル貸出機２からのメダル払い出しはストップしたままである。一方、駆動スイッチ200が操作されることによりメダル貯め部44のメダルがノズル部60に送り出されて、貯め部センサ210がＯＦＦになった場合には、ステップ１０１に戻る。すなわち、メダル貸出機２からのメダル払い出しが自動的に再開される。
【００４９】
前記ステップ１０４において、ｎ＝Ｎの場合、すなわち所定枚数のメダルの払い出しが完了した場合には、ステップ１０８に進む。
ステップ１０８において、ホッパーモータ23Cの駆動を停止する。このとき、メダルカウントのｎを初期値に戻す。そして、払い出し装置34の作動を終了する。
なお、上記フローでは、払い出しカウントの初期値を「０」にして１ずつ加算するようにしてあるが、逆に初期値を「５０」にして１ずつ減算するようにしてもよい。
次に、メダル送り装置40によるメダル送り出し制御について、図１１のフローに基づき説明する。
【００５０】
図１１のステップ２００において、駆動スイッチ200がＯＮになったかどうかを判断する。駆動スイッチ200がＯＮにならない場合には、ステップ２００に戻る。一方、駆動スイッチ200がＯＮになった場合には、次のステップ２０１に進む。
ステップ２０１において、搬送モータ55を正回転させる。すなわち、搬送モータ55の駆動軸を、図４における黒矢印の方向に回転させる。これにより、搬送ベルト53の上面がメダル移送方向に移動開始する。なおこのとき、別ルーティンにおいて、ベルトの移動検知及びメダル詰まり検知が開始される。そして、次のステップ２０２に進む。
ステップ２０２において、メダル詰まりが検知されているかどうかを判断する。メダル詰まりの検知は、メダル検知センサ64の検知信号や、ローラ51Aに設けた回転検知センサの検知信号に異常がないかを判断することにより行われる。具体的には、回転検知センサが搬送ベルト53の作動を検知しているのにメダル検知センサ64が一定時間メダルを検知しない場合や、逆にメダル検知センサ64が一定時間メダルを検知し続けている場合には、ノズル部60のメダル詰まりと判断され、搬送モータ55に駆動指令信号が出力されているのに回転検知センサが回転を検知しない場合又は検知回数が異常の場合には、搬送装置50のメダル詰まりと判断される。そして、メダル詰まりが検知されていない場合には、次のステップ２０３に進む。
【００５１】
ステップ２０３において、駆動スイッチ200がＯＦＦになったかどうかを判断する。駆動スイッチ200がＯＦＦにならない場合には、ステップ２０１に戻る。すなわち、駆動スイッチ200をＯＦＦにしない場合には搬送装置50が作動し続ける。一方、駆動スイッチ200がＯＦＦになった場合には、次のステップ２０４に進む。
ステップ２０４において、搬送モータ55の駆動を停止する。そしてメダル送り装置40の作動制御を終了する。
前記ステップ２０２において、メダル詰まりが検知されている場合には、ステップ２１０に進む。
【００５２】
ステップ２１０において、詰まり解除処理が行われる。
ここで、詰まり解除処理の具体例としては、搬送装置50のメダル詰まりの場合には、搬送モータ55の駆動を停止させた後、所定時間逆転駆動させる。所定時間は例えば１〜２秒程度の時間とし、適宜設定できる。搬送モータ55を逆転駆動させると、搬送ベルト53がメダル移送方向と逆方向に移動し、ベルト上面に乗っているメダルをメダル貯め部44方向に引き戻すとともに、逆転ローラ52はその下面がメダル排出部47方向に移動するように回転し、逆転ローラ52に接触しているメダルをメダル排出部47に向かって蹴り出すこととなる。これにより、搬送ベルト53と逆転ローラ52の間にメダルが複数枚重なって発生した詰まりを解消することができる。メダル詰まりが解除された後、引き続き搬送装置50を作動させるには、駆動スイッチ200をＯＮにする。
【００５３】
また、ノズル部60のメダル詰まりの場合には、搬送モータ55の駆動を停止させるとともに、プッシュボタン72を押したりカバー部材61を開くなどして詰まったメダルを取り除くよう要請する報知を行う。そしてメダル送り装置40の作動制御を終了する。
ところで、一括投入された遊技メダルを全てスロットマシン１に移送し終える前に搬送装置50の作動を停止させた場合（駆動スイッチ200から手を離した場合）には、搬送ベルト53の上面やメダル貯め部44に遊技メダルが残留したままとなる。この場合、遊技を終了するなどにより、残留している遊技メダルをスロットマシン１に投入したくないときには、所定のリセットスイッチ（図示せず）を操作する。すると、図８に示すように、排出装置80のソレノイド81が作動して開閉板82を開くとともに、搬送モータ55が一定時間逆転駆動する。これにより、搬送ベルト53の上面にある遊技メダルは後方に移動し、開閉板82が開くことにより、メダル貯め部44の底部に開口するキャンセル開口49から下方に落下する。メダル貯め部44に貯留されていた遊技メダルも、同様にキャンセル開口49から落下する。このようにしてメダル送り装置40から排出された遊技メダルは、受け皿90に貯留されるので、受け皿90を手前側に回転させてメダルを取り出せばよい。なお、一括投入機構３の内部に、ゴミなどの異物が混入した場合にも、上記したのと同様にして、取り出すことができるのは言うまでもない。
【００５４】
以上のように、本実施の形態によれば、例えば遊技者が一括投入機構３の内部にメダルが貯留されていることに気づかず、紙幣投入口21に紙幣を投入してしまったり、払い出し装置23がメダル払い出し中に一括投入口31からメダルを投入したような場合に、メダル貯め部44が満杯になれば、払い出し装置23が作動しないので、メダル貯め部44にはそれ以上メダルが流入しない。これにより、大量のメダルにより搬送ベルト53に負荷がかかったり、ベルト上のメダルがスムーズに移動しないことからくるメダル送り装置40内部のメダル詰まりや、払い出し通路42や背面受け口35Aにまでメダルが溢れることよる払い出し装置23のメダル排出部230におけるメダル詰まりを予防できる。
【００５５】
また、満杯による払い出し装置23の停止時に、駆動スイッチ200の操作を促す報知を行わない場合でも、表示部300に払い出し枚数を表示するようにしておけば、ホッパーエラーが出ていないのに所定枚数の払い出し完了前に払い出し装置23が作動停止した場合には、メダル貯め部44の満杯を察知することができ、遊技者は駆動スイッチ200を操作して満杯状態解消の措置をとることができる。
【図面の簡単な説明】
【００５６】
【図１】本発明の実施の形態であって、スロットマシン及びメダル貸出機の斜視図である。
【図２】本発明の実施の形態であって、メダル貸出機の側面図である。
【図３】本発明の実施の形態であって、メダル貸出機の拡大縦断面図である。
【図４】本発明の実施の形態であって、一括投入機構の断面図である。
【図５】本発明の実施の形態であって、メダル投入口及び一括投入機構の拡大斜視図である。
【図６】本発明の実施の形態であって、メダル送り装置の斜視図である。
【図７】本発明の実施の形態であって、メダル送り装置の断面斜視図である。
【図８】本発明の実施の形態であって、メダル送り装置の部分断面図である。
【図９】本発明の実施の形態であって、メダル送り装置の部分断面図である。
【図１０】本発明の実施の形態であって、払い出し装置の作動の概略を示す流れ図である
【図１１】本発明の実施の形態であって、メダル送り装置の作動の概略を示す流れ図である。
【符号の説明】
【００５７】
１  スロットマシン（遊技機）
10  メダル投入口                    11  上部投入開口
12  側方移送通路                    13  前扉
14  図柄表示窓                      15  下皿
16  操作部
２  メダル貸出機
20  外箱                            21  紙幣投入口
22  紙幣カウンター                  23  払い出し装置
23A  タンク                         23B  送り出し円板
23C  ホッパーモータ                 230  メダル排出部
24  開閉蓋                          25  上部空間
26  メダル量検知部                 261  上部検知部
262  下部検知部                     263  中間検知部
３  一括投入機構
30  本体カバー                      31  一括投入開口
32  上面板                          33  底板
34  前面板                          35  背面板
35A  背面受け口
36  側面板                          37  立設壁
38  底部開口                        39  背面開口
40  メダル送り装置                  41  本体ベース
42  払い出し通路                    43  移動調整弁
44  メダル貯め部                    45  メダル戻り部
46  平坦部                          47  メダル排出部
48  受入開口                        49  キャンセル開口
50  搬送装置                        51  ローラ
52  逆転ローラ                      53  搬送ベルト
54  送出間隙                        55  搬送モータ
60  ノズル部（投入導入路）          61  カバー部材
61A  キー孔                         61B  透視窓
62  ベース部材                      63  ヒンジ
64  メダル検知センサ                65  メダル移送路
66  メダル排出口                    67  メダル受け口
68  係合片                          69  メダル落下口
70  詰まり解除機構                  71  回動板
72  プッシュボタン
80  排出装置                        81  ソレノイド
82  開閉板（開閉部材）              83  可動軸
84  固定軸
90  受け皿                          91  凹部
92  ヒンジ部
100  仕切棒                         200  駆動スイッチ
210  貯め部センサ（満杯検知手段）   211  上ピン
212  下ピン
300  表示部                         310  ７セグメント表示部
320  ランプ
【図１】
2008012135.tif 000003
【図２】
2008012135.tif 000004
【図３】
2008012135.tif 000005
【図４】
2008012135.tif 000006
【図５】
2008012135.tif 000007
【図６】
2008012135.tif 000008
【図７】
2008012135.tif 000009
【図８】
2008012135.tif 000010
【図９】
2008012135.tif 000011
【図１０】
2008012135.tif 000012
【図１１】
2008012135.tif 000013